(57)【要約】【課題】内容物が残った状態で机などの上に置いても問題がなく、また簡単に摘まみ上げることが可能な取り出し具、及びこの取り出し具を備える取り出し具付き容器を提案する。【解決手段】本発明の取り出し具は、錘体２と、一端部に掬い部４を備えるとともに他端部に錘体２を保持する保持部５を有するへら部材３と、を備え、へら部材３は、へら部材３を倒伏姿勢で載置面Ｐに置いた際、錘体２の重心Ｃよりも下方に位置するとともに重心Ｃを通る重心線Ｌからずれた位置で載置面Ｐに接触して、掬い部４を立ち上がらせる接地面６を有する。【選択図】図３
2020121794.tif 000002
【特許請求の範囲】
【請求項１】
容器本体に収容した内容物を掬い部で掬い取るための取り出し具であって、
錘体と、
一端部に前記掬い部を備えるとともに他端部に前記錘体を保持する保持部を有するへら部材と、を備え、
前記へら部材は、該へら部材を倒伏姿勢で載置面に置いた際、前記錘体の重心よりも下方に位置するとともに該重心を通る重心線からずれた位置で該載置面に接触して、前記掬い部を立ち上がらせる接地面を有する取り出し具。
【請求項２】
前記錘体は、円柱状又は球状であって、
前記保持部は、前記錘体を回転可能に保持するものである請求項１に記載の取り出し具。
【請求項３】
前記接地面は、円柱面又は球面である請求項１又は２に記載の取り出し具。
【請求項４】
請求項１〜３の何れか一項に記載の取り出し具と、
内容物を収容する収容空間を有する前記容器本体と、
前記収容空間を覆う天壁を有するとともに該天壁の上面を前記載置面とする中蓋と、
前記容器本体に装着され、前記載置面に置かれた前記取り出し具を該中蓋との間で収容する蓋体と、を備える取り出し具付き容器。
【請求項５】
前記中蓋は、前記天壁よりも下方に位置する脚部を有する請求項４に記載の取り出し具付き容器。
【請求項６】
前記天壁の上面における前記載置面は、中心部から外縁部に向かって下方に傾く傾斜面である請求項４又は５に記載の取り出し具付き容器。
【発明の詳細な説明】
【技術分野】
【０００１】
本発明は、容器本体に収容した内容物を掬い取るための取り出し具、及びこの取り出し具を備える取り出し具付き容器に関する。
【背景技術】
【０００２】
従来、例えばクリーム状やゲル状の内容物（化粧料など）を容器本体から取り出すにあたっては、スプーンやへらのような形態をした取り出し具（スパチュラとも言う）が使用されている。例えば特許文献１には、容器本体の口部に環状板部を取り付け、この環状板部に設けた透孔に差し込むようにして保持されるスプーン状の取り出し具、及び取り出し具付き容器が示されている。また特許文献２には、容器本体と外蓋とで取り囲まれる空間内に中蓋を設け、この中蓋の上に載置できるようにした板状の取り出し具、及び取り出し具付き容器が示されている。
【先行技術文献】
【特許文献】
【０００３】
【特許文献１】特開２００４−３３１１０５号公報
【特許文献２】特開２００７−２２２１９３号公報
【発明の概要】
【発明が解決しようとする課題】
【０００４】
ところでこのような取り出し具を使用した後、これをそのまま机などの上に置くと、取り出し具に残った内容物が付着して、机などを汚してしまうおそれがある。また、机の上の埃や塵が取り出し具に残った内容物に付着することもあるため、衛生面でも問題がある。このため、特許文献１の如き取り出し具は、使用後は専ら容器に設けた取り付け用の透孔に差し込んでおかなければならず、手間を要していた。また特許文献２の如き取り出し具は、使用後は再び中蓋の上に載置することができるものの、板状であって厚みが薄いため、これを中蓋から摘まみ上げようとしても指で挟みにくいという問題があった。
【０００５】
本発明は、このような問題点を解決することを課題とするものであり、内容物が残った状態で机などの上に置いても問題がなく、また机の上に置いたときや容器に収容したときにも簡単に摘まみ上げることが可能な取り出し具、及びこの取り出し具を備える取り出し具付き容器を提供することを目的とする。
【課題を解決するための手段】
【０００６】
本発明は、容器本体に収容した内容物を掬い部で掬い取るための取り出し具であって、
錘体と、
一端部に前記掬い部を備えるとともに他端部に前記錘体を保持する保持部を有するへら部材と、を備え、
前記へら部材は、該へら部材を倒伏姿勢で載置面に置いた際、前記錘体の重心よりも下方に位置するとともに該重心を通る重心線からずれた位置で該載置面に接触して、前記掬い部を立ち上がらせる接地面を有する取り出し具である。
【０００７】
前記錘体は、円柱状又は球状であって、
前記保持部は、前記錘体を回転可能に保持するものであることが好ましい。
【０００８】
前記接地面は、円柱面又は球面であることが好ましい。
【０００９】
また本発明は、上述した取り出し具と、
内容物を収容する収容空間を有する前記容器本体と、
前記収容空間を覆う天壁を有するとともに該天壁の上面を前記載置面とする中蓋と、
前記容器本体に装着され、前記載置面に置かれた前記取り出し具を該中蓋との間で収容する蓋体と、を備える取り出し具付き容器でもある。
【００１０】
前記中蓋は、前記天壁よりも下方に位置する脚部を有することが好ましい。
【００１１】
前記天壁の上面における前記載置面は、中心部から外縁部に向かって下方に傾く傾斜面であることが好ましい。
【発明の効果】
【００１２】
本発明に従う取り出し具は、へら部材が倒伏するようにしてこれを載置面に置いた際、錘体の重心よりも下方に位置するとともに重心線からずれた位置で載置面に接触する接地面を有している。すなわち、このようにしてへら部材を載置面に置くと、錘体が下方に向けて動いていくため、掬い部は立ち上がるようにして移動することになる。従って、取り出し具を使用した後に机などの上に置いても、掬い部に残った内容物が机に付着することがなく、また机の上の埃や塵が掬い部の内容物に付着することもない。また掬い部が机から立ち上がった状態になるため、机の上に置いた取り出し具を摘まみ上げる際も指で挟みやすく、楽に摘まむことができる。
【００１３】
そしてこのような取り出し具を備える取り出し具付き容器の発明においては、中蓋と蓋体との間に取り出し具を収容することができるため、取り出し具を衛生的に保管することができる。また、蓋体を開くことによって中蓋の上面に置かれた取り出し具は、掬い部が中蓋の上面から立ち上がるため、指で簡単に摘まみ上げることができる。
【図面の簡単な説明】
【００１４】
【図１】本発明に従う取り出し具の一実施形態を示す図であって、（ａ）は正面図であり、（ｂ）は側面図であり、（ｃ）は（ａ）に示す矢印Ａに沿う矢視図である。
【図２】（ａ）は図１（ａ）に示すＢ−Ｂに沿う断面図であり、（ｂ）は図１（ｂ）に示すＣ−Ｃに沿う断面図である。
【図３】図１に示す取り出し具を机の上面に載置した状態を示す図であって、（ａ）は掬い部が机に近接した状態で取り出し具を載置した状態であり、（ｂ）は錘体の自重によってへら部材が立ち上がりだした状態であり、（ｃ）はへら部材が自立した状態である。
【図４】図１の取り出し具を備える取り出し具付き容器の一実施形態を示す図であって、（ａ）は側面視の断面図であり、（ｂ）は（ａ）に示す矢印Ｄに沿う側面図（蓋体は省略している）である。
【図５】（ａ）は図４（ａ）における蓋体を取り外した状態を示す図であって、（ｂ）は中皿を取り外して机に載置した状態を示す図である。
【図６】本発明に従う取り出し具付き容器の変形例を示す図である。
【発明を実施するための形態】
【００１５】
以下、図面を参照しながら本発明に従う取り出し具の第一実施形態について説明する。図１、図２に示すように本実施形態の取り出し具１は、錘体２とへら部材３とにより構成されている。
【００１６】
錘体２は、例えば金属やガラス繊維強化プラスチックのように比重が大きな素材で形成されるものであり、へら部材３に比して質量が大きくなっている。本実施形態の錘体２は、ステンレスを使用している。また本実施形態の錘体２は、円柱状に形作られている。
【００１７】
へら部材３は、本実施形態では合成樹脂で形成されているものであって、図示したように全体的に扁平状になるように形作られている。またへら部材３の一端部には、図２（ａ）に示すように中央部よりも厚みが若干薄くなるように形成され、内容物を掬い取るために用いられる掬い部４が設けられている。またへら部材３の他端部には、錘体２を保持する保持部５が設けられている。
【００１８】
ここで、保持部５について詳細に説明する。本実施形態の保持部５は、図２（ａ）に示すように中央部よりも厚みが厚くなるように形成されていて、その厚み方向における外面は、円弧状に湾曲していて円柱面となっている。なお、保持部５における厚み方向の外面を接地面６と称する。また、図２（ａ）の部分拡大図に示すように保持部５の内側には、錘体２が収められる凹部７が設けられている。凹部７は、錘体２の直径よりも大きくなるように形成されていて、凹部７の内側で錘体２を回転させることができる。なお、凹部７の内周面には、錘体２の外周面に対して部分的に接触するための凸部８が設けられているため、錘体２が回転する際の摺動抵抗を抑えることができる。そして凹部７の開口部を形成する先端部９は、図２（ａ）の部分拡大図に示すように厚み方向においては、先端部９同士の隙間が錘体２の直径よりも小さくなるように湾曲していて、これにより凹部７の内側に収容した錘体２を抜け止め保持している。また先端部９は、図２（ｂ）の部分拡大図に示すように幅方向においては内側に向けて湾曲している。すなわち、錘体２の端面が先端部９に接触しても部分的であるため、錘体２が回転する際の摺動抵抗を抑制することができる。
【００１９】
このような形態になる取り出し具１は、図３（ａ）に示すように、例えば平坦な机の上面（以下、この上面を載置面Ｐと称する）に対して、へら部材３が倒伏するようにしてこれを置くと、接地面６は錘体２の重心Ｃよりも下方に位置していて、また接地面６が載置面Ｐに接触する部位（以下、接地面６が載置面Ｐに接触する部位を接地点Ｔと称する）は、重心Ｃを通る鉛直方向の重心線Ｌの真下ではなく、重心線Ｌから水平方向にずれたところに位置することになる。これにより、図３（ｂ）に示すように錘体２は、下方に向けて動いていくため、掬い部４は立ち上がるようにして移動することになる。本実施形態の接地面６は円柱面であるため、取り出し具１は途中で止まることなくスムーズに立ち上がっていく。そして、図３（ｃ）に示すように錘体２が載置面Ｐに接触することによって、錘体２の下方への移動は停止する。またへら部材３は、図３（ｃ）に示すように先端部９が錘体２と載置面Ｐとの隙間に入り込むようにして載置面Ｐに接触するため、傾いた状態でその姿勢が維持される。すなわち、このような形態になる取り出し具１によれば、図３（ｃ）に示す状態で自立させることができる。従って、掬い部４で内容物を取り出して塗布先に塗布した後、取り出し具１を載置面Ｐの上に置いても、掬い部４に残った内容物が載置面Ｐに付着することがなく、また載置面Ｐの上の埃や塵が掬い部４の内容物に付着することもない。また掬い部４が載置面Ｐから立ち上がった状態になっているため、これを摘まみ上げる際も指で挟みやすく、楽に摘まむことができる。
【００２０】
また取り出し具１に設けた錘体２は、顔などにあてがって転がすように動かすことができるため、取り出し具１をマッサージローラのようにして使用することも可能である。
【００２１】
またこのような形態になる取り出し具１は、図４に示すような取り出し具付き容器に収容することができる。図示した取り出し具付き容器は、上述した取り出し具１の他、容器本体１０、中蓋１１、蓋体１２を備えるものである。
【００２２】
容器本体１０は、広口で所謂ジャー容器と称される形態をなすものである。本実施形態の容器本体１０は、円板状の底壁１３と、底壁１３の外縁部から起立する円筒状の周壁１４と、周壁１４の上端部外周面に設けられた雄ねじ部１５とを備えるものである。また周壁１４は、図４（ｂ）に示すように、雄ねじ部１５を分断するとともに周壁１４の厚みを部分的に減じる溝部１６を備えている。本実施形態における溝部１６は、周方向に等間隔で合計４つ設けられている。そして図４（ａ）に示すように底壁１３と周壁１４の内側には、内容物を収容するための収容空間Ｓが形成されている。
【００２３】
中蓋１１は、収容空間Ｓを覆う平板状の天壁１７を備えている。また中蓋１１は、天壁１７の外縁部から上方に向けて立ち上がる内周壁１８と、内周壁１８の上端部から径方向外側に向けて延在するフランジ部１９と、フランジ部１９の外縁部に連結するとともに下方に向けて延在する外周壁２０と、溝部１６に対応して設けられ外周壁２０の下縁部から下方に向けて延在する脚部２１とを備えている。本実施形態においては、合計４つの脚部２１が設けられる。また脚部２１の下縁部は、図４（ａ）に示すように、天壁１７の下面よりも下方に位置している。このような中蓋１１には、図４に示すように天壁１７の上面（載置面Ｐ）に接地面６が接触するようにして取り出し具１が載置される。
【００２４】
蓋体１２は、天壁１７の上方に位置するとともにフランジ部１９を覆う頂壁２２と、頂壁２２の外縁部から下方に向けて延在する蓋体周壁２３とを備えている。蓋体周壁２３の内周面には、雄ねじ部１５に対応する形状となる雌ねじ部２４が設けられていて、雌ねじ部２４を雄ねじ部１５に螺合させることによって、中蓋１１と蓋体１２の間に取り出し具１を収めて蓋体１２を容器本体１０に装着することができる。
【００２５】
このような取り出し具付き容器は、図５（ａ）に示すように容器本体１０から蓋体１２を取り外すと、取り出し具１は、図３を参照しながら説明したように、掬い部４が立ち上がるようにして中蓋１１の上面（載置面Ｐ）で自立する。このため取り出し具１を、指で簡単に摘まみ上げることができる。
【００２６】
収容空間Ｓから内容物を取り出すにあたって、容器本体１０から中蓋１１を取り外す際は、対向する一対の脚部２１を指で挟むようにして中蓋１１を持ち上げることができるため、これを簡単に取り外すことができる。また脚部２１の下縁部は、天壁１７の下面よりも下方に位置しているため、図５（ｂ）に示すように取り外した中蓋１１を載置面Ｐの上に置いても、天壁１７の下面が載置面Ｐに接触することがない。すなわち、収容空間Ｓの内容物が天壁１７の下面に付着していたとしても、載置面Ｐへの付着を避けることができる。また脚部２１は合計４つ設けられているため、載置面Ｐに中蓋１１を置いた際にこれが傾くことはない。
【００２７】
なお、上述した天壁１７の上面（載置面Ｐ）は平坦であったが、図６に示す中蓋１１’における天壁１７’のように、中心部から外縁部に向かって下方に傾く傾斜面であってもよい。このような中蓋１１’によれば、取り出し具１を天壁１７’の中心部付近に置いたとしても、錘体２が傾斜面上を転がっていくため、取り出し具１は天壁１７’の外縁部に向かって移動する。このため、容器本体１０に蓋体１２を装着するにあたって、掬い部４が中蓋１１の外縁部からはみ出して邪魔になることがなく、蓋体１２を簡単に装着することができる。
【００２８】
以上、本発明について具体的な実施形態を示しながら説明したが、本発明に従う取り出し具、及び取り出し具付き容器は上述した実施形態に限られるものではなく、特許請求の範囲に従う範疇で種々の変更を加えたものも含まれる。例えば錘体２は、球状のものでもよい。また球状の錘体２を使用する際には、接地面６は球面であってもよい。なお接地面６は、取り出し具１がスムーズに立ち上ることを考慮すると円柱面又は球面が好ましいが、取り出し具１の立ち上がりにそれ程影響がなければ、その他の形状（長さの短い平面や楕円状の面など）でもよい。また脚部２１の個数も上述した４つに限られず、例えば幅を広くして合計２つとしてもよい。
【符号の説明】
【００２９】
１：取り出し具
２：錘体
３：へら部材
４：掬い部
５：保持部
６：接地面
７：凹部
８：凸部
９：先端部
１０：容器本体
１１、１１'：中蓋
１２：蓋体
１３：底壁
１４：周壁
１５：雄ねじ部
１６：溝部
１７、１７'：天壁
１８：内周壁
１９：フランジ部
２０：外周壁
２１：脚部
２２：頂壁
２３：蓋体周壁
２４：雌ねじ部
Ｃ：錘体の重心
Ｌ：重心線
Ｐ：載置面
Ｓ：収容空間
Ｔ：接地点
【図１】
2020121794.tif 000003
【図２】
2020121794.tif 000004
【図３】
2020121794.tif 000005
【図４】
2020121794.tif 000006
【図５】
2020121794.tif 000007
【図６】
2020121794.tif 000008